(57)【特許請求の範囲】
【請求項１】
遊技球がガイドレールに沿って打ち込まれる略円形の遊技領域に配置され、遊技球を収容する収容部を有する回転体と、遊技球の入口および排出口を有し回転体の収容部に収容された遊技球を誘導する回転体誘導部と、該回転体誘導部により誘導された前記遊技球を入賞させる入賞口とを具備する入賞装置と、
前記入賞装置の下方に回動可能に配設され、遊技球を一時的に保留する収容口を有し、収容口が垂直上向きとなる位置と、垂直下向きとなる位置を含む複数の回動停止位置に停止制御され、収容口が垂直上向きの位置で、回転誘導体の排出口からの遊技球を収容口に収容し、その他の位置では、排出口からの遊技球を遊技領域へ排出可能とする遊技球保留器とを備え、
入賞装置上部の入口より回転体の遊技球収容部に遊技球が収容されて、回転体が回動すると、回転体誘導部の案内作用により、遊技球は入賞装置内を移動して入賞装置底部に至ると共に、遊技球保留器が、収容口が垂直上向きとなる停止位置にあるとき、入賞装置底部に至った遊技球は排出口から落下して、遊技球保留器の収容口に収容される場合と、該収容口に既に収容されている遊技球により排出口が塞がれて落下できず、回転体の回転に伴って、入賞装置内に配置された入賞口に入賞する場合とを生ずるものであることを特徴とする遊技機。
【請求項２】
前記回転体の回動速度および方向は、複数の値に制御可能であることを特徴とする請求項１に記載の遊技機。
【請求項３】
前記回転体には、複数の遊技球収容部が設けられていることを特徴とする請求項１又は２のいずれかに記載の遊技機。
【発明の詳細な説明】
【０００１】
【発明の属する技術分野】
本発明は遊技機、特に遊技球を使用して遊技するパチンコ機等の遊技機に関する。
【０００２】
【従来の技術】
遊技球を使用する遊技機の代表はパチンコ機であり、大衆娯楽の１つとして広く普及している。パチンコ機にも種々のものがある。第１種パチンコ機では、遊技球が入賞口（始動口）に入賞すると特別図柄が変動を開始する。そして、この変動開始から所定時間経過後に、独立して回転する複数（例えば３個）の停止図柄の組み合わせが同一図柄（例えば「７７７」）であれば「大当り」となる。この「大当り」の場合には、大入賞口が所定時間経過するかまたは所定個数の遊技球が入賞するまで開放し、遊技者に有利な状態となる。これを予め決めた所定回数（例えば１６回）繰り返す。この大入賞口が開放している期間中に、遊技者はできるだけ多くの遊技球を始動口に入賞させることを目指す。しかし、これは遊技としては比較的単調であり飽きがくる。なお、従来の遊技機は、例えば特開平７−１００２４７号公報の「パチンコ機」に開示されているので、その詳細はこの特許公報を参照されたい。
【０００３】
遊技球の発射も、最近のパチンコ機では、発射ハンドルを固定さえしていれば、自動的、かつ連続的に行なわれる。始動口および入賞口には、入口の直前で通路を釘により妨害するのみで遊技球の入り難さを実現している。
【０００４】
【発明が解決しようとする課題】
上述した従来の遊技機にあっては、遊技者の技量が介在する余地としては、始動口への入賞が容易か否かの釘状態で遊技機を選別するのみが残される。遊技球も、個々が直接、入賞口や役物に入ることを役割とされ、その機会を失えば遊技領域下方の排出口から排出されるだけである。
【０００５】
そこで、本発明は、遊技者に技量を発揮する余地を与え、満足感または達成感が得られ、興趣を向上する遊技機およびその入賞装置を提供することを目的としている。
【０００６】
【課題を解決するための手段】
本発明は、遊技球がガイドレールに沿って打ち込まれる略円形の遊技領域に配置され、遊技球を収容する収容部を有する回転体と、遊技球の入口および排出口を有し回転体の収容部に収容された遊技球を誘導する回転体誘導部と、該回転体誘導部により誘導された前記遊技球を入賞させる入賞口とを具備する入賞装置と、
前記入賞装置の下方に回動可能に配設され、遊技球を一時的に保留する収容口を有し、収容口が垂直上向きとなる位置と、垂直下向きとなる位置を含む複数の回動停止位置に停止制御され、収容口が垂直上向きの位置で、回転誘導体の排出口からの遊技球を収容口に収容し、その他の位置では、排出口からの遊技球を遊技領域へ排出可能とする遊技球保留器とを備え、
入賞装置上部の入口より回転体の遊技球収容部に遊技球が収容されて、回転体が回動すると、回転体誘導部の案内作用により、遊技球は入賞装置内を移動して入賞装置底部に至ると共に、遊技球保留器が、収容口が垂直上向きとなる停止位置にあるとき、入賞装置底部に至った遊技球は排出口から落下して、遊技球保留器の収容口に収容される場合と、該収容口に既に収容されている遊技球により排出口が塞がれて落下できず、回転体の回転に伴って、入賞装置内に配置された入賞口に入賞する場合とを生ずるものであることを特徴とする遊技機に関する。本発明の好適な実施の形態によると、遊技球保留器25は、回動して入賞装置の排出口38から排出されるまたは入賞装置以外からの遊技球を受けることができる。
【０００８】
本発明の好適な実施の形態によると、遊技球保留器２５の収容口２６は、停留している遊技球を排出する位置に移動可能にすることを特徴とする。また、遊技球保留器２５の収容口２６は、排出口３８以外に遊技球が収容可能な位置に移動することを特徴とする。回転体３１の回動速度および方向は、複数の値に制御可能であることを特徴とする。回転体３１には、複数の遊技球収容部３３が設けられていることを特徴とする。
【０００９】
【発明の形態の実施例】
以下、本発明による遊技機およびその入賞装置の好適な実施の形態の構成および動作を、図面を参照して詳細に説明する。
【００１０】
図１は、本発明による遊技機の好適な実施の形態の全体構成を示す正面図である。この遊技機１０は、略四角形の外枠２１の中央に配置される略円形の遊技領域（または遊技盤）２０と、打ち込まれる遊技球を案内するガイドレール２２と、特別図柄表示装置２３と、大入賞口２４と、遊技球保留器２５（図２参照）と、入賞装置３０とより構成される。
【００１１】
通常、遊技球保留器25の収容口は、入賞装置30の垂直下向に位置している。この遊技球保留器25は、時計（右）方向に回転し、例えば２秒間経過すると遊技球保留器25の収容口は垂直上向に位置する。また、遊技球保留器25は、収容口の位置を垂直上向または垂直下向で例えば３０秒間停止する。以下、上述した動作を交互に繰り返す。図２を参照して詳述するように、入賞装置30の回転体31は、例えば７．２秒で時計方向に１回転している。
【００１２】
図２は、図１に示す遊技機１０に使用される入賞装置３０およびこれと協働する遊技球保留器２５の拡大図および動作説明図である。この入賞装置３０は、略円筒状の回転体誘導部３２およびその内部で回転する回転体３１で構成される。回転体誘導部３２は、入賞装置上部３４および入賞装置底部３５に、遊技球４０の直径より僅かに大きい入口および出口が夫々形成されている。一方、回転体３１は、この特定の実施の形態では円周方向に４個の遊技球収容部３３が形成されている。この遊技球収容部３３は、遊技球４０を受容可能な大きさである。また、遊技球保留器２５は、略コの字状の収容口２６を有し、軸２７を中心に回転可能である。
【００１３】
遊技球４０は、入賞装置上部３４の入口３７より遊技球収容部３３に収容される。回転体３１が回動すると、回転体誘導部３２の案内作用により、遊技球４０は入賞装置３０内を移動する。移動した遊技球４０は、入賞装置底部３５に至ると、その排出口から重力により落下する。遊技球保留器２５の収容口２６が垂直上に位置しているとき、入賞装置底部３５に至り落下した遊技球４０は、遊技球保留器２５の収容口２６に収容される（図２（Ｂ）参照）。このとき、遊技球保留器２５に収容された遊技球４０は、入賞装置底部３５の排出口３８を塞ぐ。
【００１４】
次に、入賞装置上部３４から遊技球４０が回転体３１の遊技球収容部３３に収容されると、回転体３１の回動と回転体誘導部３２との案内作用により、入賞装置３０内を移動して入賞装置底部３５に至る。しかし、入賞装置底部３５の排出口３８は、遊技球保留器２５に貯留された遊技球４０で塞がれているため落下できない。そして、入賞装置底部３５を通過して、入賞装置内左に配置された入賞口（始動口）３６に入賞する。
【００１５】
次に、上述した入賞口（始動口）３６に入賞すると、図１に示す特別図柄２３が変動を開始する。この変動開始から例えば５秒間変動して停止する。上述のように特別図柄表示装置の例えば３個の停止図柄が一致すると、「当り」となり大入賞口２４が開放する。この大入賞口２４は、そこに例えば１０個の遊技球４０またはは３０秒間経過するまで開放する。これを例えば１６回（ラウンドという）継続する。
【００１６】
例えば、「当り」図柄が「７７７」で「当り」終了の場合には、遊技球保留器２５の収容口２６は、一旦垂直下に移動する（図２（Ａ）参照）。その後、左４５°方向に移動し例えば３０秒間停止する。例えば０．５秒間後に、遊技球保留器２５の収容口２６が垂直上に回動し３０秒間停止し、これを往復する。例えば０．５秒後に、収容口２６が右４５度方向に回動し３０秒間停止し（図２（Ｃ）参照）、これを往復する。なお、遊技球保留器２５が入賞装置３０の排出口３８からずれている場合には、例え遊技球保留器２５の収容口２６に遊技球４０が受容されていても、入賞装置３０の排出口３８から排出される遊技球４０は入賞口３６に誘導されず、排出口３８から排出される（図２（Ｄ）参照）。
【００１７】
入賞装置３０の、回転体３１は、例えば４．８秒で時計方向に１回転している。入賞口（始動口）３６に例えば５０個入賞するか、または次回の「当り」終了まで継続される。
【００１８】
以上、本発明による遊技機およびその入賞装置の好適な実施の形態の構成および動作を詳述した。しかし、このような実施の形態は、本発明の単なる例示に過ぎず、何ら本発明を限定するものではない。本発明の要旨を逸脱することなく、特定用途に応じて、種々の変形変更が可能であることを当業者には容易に理解できよう。
【００１９】
【発明の効果】
上述の実施の形態に基づく説明から明らかなように、本発明の遊技機およびその入賞装置によると、次のように実用上の顕著な効果が得られる。即ち、遊技者は、入賞口に遊技球を入賞させるための努力と、遊技球停留器へ遊技球を集める努力を連携して行う必要があるので、遊技の単調さが解消可能である。また、遊技領域に打ち込まれた遊技球が相互に影響し合い、偶然性と遊技者の技量が加味された遊技機を実現し、真の意味の遊技性が得られる。
【図面の簡単な説明】
【図１】本発明による遊技機の好適な実施の形態の全体構成を示す正面図、
【図２】図１の遊技機に使用する入賞装置および遊技球保留器の拡大図および動作説明図である。
【符号の説明】
１０  遊技機
２０  遊技領域
２２  ガイドレール
２３  特別図柄表示装置
２４  大入賞口
２５  遊技球保留器
２６  収容口
３０  入賞装置
３１  回転体
３２  回転体誘導部
３３  遊技球収容部
３６  始動口
３７  入口
３８  排出口
４０  遊技球
【図１】
0003585416.tif 000002
【図２】
0003585416.tif 000003